【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
回転制御装置であって、
第１の支持マウントの第１の軸に、回転可能に取り付けられた第１のアセンブリと、
該第１のアセンブリに回転可能に取り付けられた第２のアセンブリであって、該第２のアセンブリは該第１のアセンブリに対して軸方向に可動であり、該第１および第２のアセンブリは相互に隣り合いかつ離れた円周面をそれぞれ有し、該第１および第２のアセンブリはさらに、少なくとも部分的に半径方向に延在する延在する係合面をそれぞれ有し、該それぞれの係合面は該第２のアセンブリが第１の軸方向位置にあるときには相互に摩擦により係合し、また該第１および第２のアセンブリの該それぞれの係合面は該第２のアセンブリが第２の軸方向位置にあるときには係合を解き、該第２のアセンブリが該第２の軸方向位置にあるときには該第２のアセンブリは該第１のアセンブリから独立に回転可能な、第２のアセンブリと、
第１の渦電流結合アセンブリおよび第２の渦電流結合アセンブリを備える渦電流ドライブであって、該第１の渦電流結合アセンブリは該第１のアセンブリの該円周面と関連し、該第２の渦電流結合アセンブリは該第１の渦電流結合アセンブリと隣り合いかつ離れている該第２のアセンブリの該円周面と関連し、該第２の渦電流結合アセンブリは該第１の渦電流結合アセンブリと該第２の渦電流結合アセンブリとの間に空気の隙間を介して隣り合う、渦電流ドライブと
を備える、回転制御装置。
【請求項２】
前記第２の渦電流結合アセンブリは、
前記第２のアセンブリの中の内部空洞に配置された、複数の同軸の電気的に絶縁されたリングと、
該電気的に絶縁されたリングに隣接して同軸に置かれた非磁性のリングと、
を備える、請求項１に記載の回転制御装置。
【請求項３】
前記第１の渦電流結合アセンブリは、
前記第１のアセンブリの前記円周面に取り付けられたバックアイアンタブのペアであって、該バックアイアンタブは周方向に間隔をおいて互いに反対側に取り付けられた、バックアイアンタブのペアと、
それぞれのバックアイアンタブに固定された磁石のペアと、
を備える、請求項１に記載の回転制御装置。
【請求項４】
軸を有する支持マウントと、第１の回転可能アセンブリを備える第１のメンバーおよび第２のメンバーであって、該第１の回転可能アセンブリが該軸に回転可能に取り付けられ該第２のメンバーが空洞を定義する、第１のメンバーおよび第２のメンバーと、該第２のメンバーにスライド可能に取り付けられ該空洞の中で第１の位置と第２の位置との間で軸方向に可動なピストンと、該ピストンに対して回転可能に取り付けられ該第１の回転可能アセンブリから独立して回転運動が可能な第３のメンバーと、を含む改良された回転制御装置であって、該改良回転制御装置は、
該第１のメンバーの外側周方向表面に取り付けられた第１の渦電流アセンブリと、
該第３のメンバーの内部空洞の中に半径方向に配置された第２の渦電流アセンブリであって、該第２の渦電流アセンブリは該第１の渦電流アセンブリに対して半径方向に隙間を介しかつ同軸に置かれ、内側半径方向表面部分が該第３のメンバーの内部空洞を定義する、第２の渦電流アセンブリと、
を備える、改良回転制御装置。
【請求項５】
前記第２の渦電流アセンブリは、
前記第３のメンバーの内部空洞の中に前記内側半径方向表面部分に隣接して半径方向に配置された、磁気伝導性材料の、複数の電気的に絶縁された金属のリングと、
該絶縁されたリングの一つと接続された非磁性材料の中間リングであって、該中間リングは該複数の絶縁されたリングと前記第１の渦電流アセンブリとの間に置かれる、中間リングと、
を備える、請求項４に記載の改良回転制御装置。
【請求項６】
前記第１の渦電流アセンブリは、
前記第１のメンバーの前記外側周方向表面に取り付けられたバックアイアンタブのペアであって、該バックアイアンタブは周方向に間隔を置いて互いに反対側に位置する、バックアイアンタブのペアと、
それぞれのバックアイアンタブに固定された磁石のペアと、
を備える、請求項４に記載の改良回転制御装置。
【請求項７】
クラッチ装置であって、
第１の支持マウントの第１の軸に、回転可能に取り付けられた第１のアセンブリであって、摩擦係合面および円周面を有する第１のアセンブリと、
該第１のアセンブリに回転可能に取り付けられた第２のアセンブリであって、該第２のアセンブリは摩擦係合面および円周面を有し、該第２のアセンブリは第１のアセンブリに対して相対的に可動であり、該第１および第２のアセンブリの該それぞれの摩擦係合面は、該第２のアセンブリが第１の位置にあるときに、該第１および第２のアセンブリの該それぞれの摩擦係合面が相互に擦れ合って接触して、トルクを該第１および第２のアセンブリの該それぞれの摩擦係合面の間で伝達し、該第２のアセンブリが第２の位置にあるときに、該第１および第２のアセンブリの該それぞれの摩擦係合面が、隙間を介して離れた関係に係合が解かれるように、該第１および第２のアセンブリの該それぞれの摩擦係合面が相互に隣接して位置する、第２のアセンブリと、
第１の渦電流結合アセンブリおよび第２の渦電流結合アセンブリを備える渦電流ドライブであって、該第１の渦電流結合アセンブリは該第１のアセンブリの該円周面と関連し、該第２の渦電流結合アセンブリは該第２のアセンブリの該円周面と関連し、該第２の渦電流結合アセンブリは該第１の渦電流結合アセンブリと該第２の渦電流結合アセンブリとの間に空気の隙間を介して該第１の渦電流結合アセンブリと隣り合う、渦電流ドライブと、を備え、
該第２の渦電流結合アセンブリは該第２のアセンブリとともに動作し、
該第１の渦電流結合アセンブリと該第２の渦電流結合アセンブリとの間にある該空気の隙間は、該第２アセンブリが該第１の位置または該第２の位置のいずれにあるときでも、実質的に同一であること
を特徴とするクラッチ装置。
【請求項８】
請求項７に記載のクラッチ装置であって、
前記第１および第２のアセンブリの該それぞれの摩擦係合面は少なくとも部分的に半径方向に延在すること
を特徴とするクラッチ装置。
【請求項９】
請求項７に記載のクラッチ装置であって、
前記第２のアセンブリは、前記第１の位置および前記第２の位置の間を、前記第１のアセンブリに対して軸方向に移動すること
を特徴とするクラッチ装置。
【請求項１０】
請求項７に記載のクラッチ装置であって、さらに、
前記第２のアセンブリに隣接して定義される流体チャンバーを備え、
前記クラッチ装置は、該流体チャンバーに加圧された流体を導入することにより、該第２のアセンブリを前記第２の位置へ移動させるように構成されること
を特徴とするクラッチ装置。
【請求項１１】
請求項１０に記載のクラッチ装置であって、さらに、
ばねを備え、前記加圧された流体を導入することにより生じる前記第２のアセンブリの移動は、該ばねの付勢力に対向して行われること
を特徴とするクラッチ装置。
【請求項１２】
請求項７に記載のクラッチ装置であって、さらに、
前記円周面のうちの一つの半径方向外側に隣接する前記渦電流ドライブの隣接方向に延在する複数の冷却用フィンを備えること
を特徴とするクラッチ装置。
【請求項１３】
請求項７に記載のクラッチ装置であって、さらに、
前記第２のアセンブリに固定される複数のファンブレードを備えること
を特徴とするクラッチ装置。
【請求項１４】
請求項７に記載のクラッチ装置であって、
前記渦電流ドライブは、前記第１の渦電流結合アセンブリまたは前記第２の渦電流結合アセンブリの前記それぞれの円周面のうちの１つの半径方向内側に固定される、複数の永久磁石を備えること
を特徴とするクラッチ装置。
【請求項１５】
請求項７に記載のクラッチ装置であって、さらに、
前記第１および第２のアセンブリの前記それぞれの摩擦係合面のうちの１つに関連する摩擦物質を備えること
を特徴とするクラッチ装置。
【請求項１６】
請求項７に記載のクラッチ装置であって、
前記第２の渦電流アセンブリは、
前記第２の渦電流アセンブリの前記円周面に半径方向に配置される、積層されたバックアイロンと、
該積層されたバックアイロンに接続される非磁気バンドであって、該積層されたバックアイロンおよび前記第１の渦電流アセンブリの間に位置する非磁気バンドと
を備えることを特徴とするクラッチ装置。
【請求項１７】
選択的にトルクを伝達するためのクラッチ装置であって、
回転入力および回転出力の間に動作可能に接続された第１のアセンブリおよび第２のアセンブリに選択的に摩擦により係合するよう構成される摩擦クラッチアセンブリであって、該摩擦クラッチアセンブリは、前記第１のアセンブリおよび前記第２のアセンブリとの間で相対的な移動をもたらすように構成され、第１の位置では、該第１および第２のアセンブリのそれぞれの摩擦係合面が相互に接触して、該第１および第２のアセンブリの該それぞれの摩擦係合面の間で摩擦によりトルクを伝達し、第２の位置では、該第１および第２のアセンブリの該それぞれの摩擦係合面が相互に隙間を介して離れた関係となり摩擦による係合が解かれる、摩擦クラッチアセンブリと、
該第１および第２のアセンブリが前記第２の位置にて相互に摩擦による係合が解かれるときに、該第１のアセンブリおよび該第２のアセンブリを回転結合し、該第１のアセンブリおよび該第２のアセンブリの間でトルクを回転伝達するように構成される渦電流ドライブアセンブリであって、該第１のアセンブリに関連する第１の渦電流結合部と、該第２のアセンブリに関連する第２の渦電流結合部であって、該第１および第２の渦電流結合部は間に空気の隙間を介して相互に隣り合わせに位置し、該空気の隙間は該第１の位置および該第２の位置の双方で実質的に同一である、第２の渦電流結合部とを備える、渦電流ドライブアセンブリと
を備えることを特徴とするクラッチ装置。
【請求項１８】
請求項１７に記載のクラッチ装置であって、
前記第１および第２のアセンブリの相対的な移動は軸方向であること
を特徴とするクラッチ装置。
【請求項１９】
請求項１８に記載のクラッチ装置であって、
前記第１および第２のアセンブリの前記それぞれの摩擦係合面と、該第１および第２のアセンブリに関連した前記それぞれの第１および第２の渦電流結合とは、前記第１の位置および前記第２の位置の間における実質的に同一の距離だけ軸方向に変位すること
を特徴とするクラッチ装置。
【請求項２０】
請求項１７に記載のクラッチ装置であって、
前記第２のアセンブリは、前記第１のアセンブリに回転可能に取り付けられること
を特徴とするクラッチ装置。
【請求項２１】
請求項１７に記載のクラッチ装置であって、
前記第１のアセンブリは、支持マウントの回転固定シャフトに回転可能に取り付けられていること
を特徴とするクラッチ装置。
【請求項２２】
請求項１７に記載のクラッチ装置であって、さらに、
前記第２のアセンブリに隣接して定義された流体チャンバーを備え、
該クラッチ装置は、該流体チャンバーに加圧された流体を導入することにより、該第２のアセンブリを前記第２の位置へ移動させるように構成されること
を特徴とするクラッチ装置。